(57)【特許請求の範囲】
【請求項１】
縦置き、横置き兼用のダクト型空気調和機において、
空気調和機本体ケースに、ファンを備えた送風機室と熱交換機を備えた熱交換室とを内蔵し、前記送風機室に設けられた吸込口と前記空気調和機本体ケースの一方の側片との角隅を電装品箱の配置によって構成し、該電装品箱の角部となり且つダクト型空気調和機全体の角部となる位置に吊金具固定部を設けてなり、
前記電装品箱は、コ字形状に折り曲げられ、該コ字形状の対面する２個の側片の一方の側片が前記吸込口の面に連続する面となり、該コ字形状の奥片が前記送風機室内部に位置するように配置された電装品箱本体ケースと、前記空気調和機本体ケースの前記一方の側板に連続する面と前記空気調和機本体ケースの底板に連続する面とを覆うようにＬ字形状に折り曲げられた着脱自在の電装品箱カバーとを備え、
前記吊金具固定部は、前記電装品箱本体ケースの前記一方の側片に、前記空気調和機本体ケースの前記一方の側板の方向に折り曲げて形成されていることを特徴とするダクト型空気調和機。
【請求項２】
請求項１に記載のダクト型空気調和機において、
前記電装品箱カバーは、前記吊金具固定部を外部に露出させるよう切欠きが形成されていることを特徴とするダクト型空気調和機。
【請求項３】
請求項１又は２に記載のダクト型空気調和機において、
前記吊金具固定部に、ダクト型空気調和機を床に浮かして縦配置するためのスペーサを床金具取付具によって取り付けたことを特徴とするダクト型空気調和機。
【発明の詳細な説明】
【技術分野】
【０００１】
本発明は、電装品箱について改良を図ったダクト型空気調和機に関する。
【背景技術】
【０００２】
従来のダクト型空気調和機のうち、縦置き、横置き兼用のものは、例えば図１０，図１１に示すように構成されている（例えば、特許文献１参照）。この空気調和機２００は、図１０に示す縦置き姿勢において、空気調和機本体２１０の正面板２１１における下部に位置する吸込口２１２Ａと上部の吹出口２１３とを結ぶ空気通路に、送風口を上に向けたファン２２０と、そのファン２２０の上部で前面を吹出口２１３に向けて傾斜させた熱交換器２３０を備える。ファン２２０と熱交換器２３０との間に設けられた仕切板２４０の上部前方には、図１１に示す天吊り横置き姿勢にしたとき対応する断面形状が略Ｌ字上の露受皿２５０が立設されている。また、空気調和機本体２１０の底面にもう１つの吸込口２１２Ｂが設けられている。２６０は空気調和機本体２１０の側面板２１４に取り付けられた電装品箱である。
【０００３】
この空気調和機２００では、空気調和機本体２１０を縦置きする場合は、図１０に示す姿勢となり、吊金具取付具２７０を側面板２１４の下端にねじで取り付けて、この吊金具取付具２７０によって床面に固定する。このとき、吸込口２１２Ａにはフィルタ２８０が装着され、吹出口２１２Ｂは遮蔽板２９０により閉じられる。また、天吊り横置きとする場合は、図１１に示す姿勢となり、吊金具取付具２７０を側面板２１４の上端に取り付けて、この吊金具取付具２７０を天井から吊り下げられたボルト３００に固定することで、吊り下げ設置される。このとき、このとき、吸込口２１２Ａは遮蔽版２９０で閉じられ、吸込口２１２Ｂにフィルタ２８０が装着される。
【先行技術文献】
【特許文献】
【０００４】
【特許文献１】特開２００１−２２７７７１号公報
【発明の概要】
【発明が解決しようとする課題】
【０００５】
図１０，図１１で説明した空気調和機２００では、電装品箱２６０が側面板２１３の外面に取り付けられるので、保守・点検等のメンテナンス作業時には、その取付位置を吊金具取付具２９０の固定位置からずらせば問題はない。
【０００６】
しかしながら、この電装品箱２６０を空気調和機本体２１０の側面板２１３の下端の送風機室内の内角隅に取り付けた場合は、その電装品箱２６０に対する保守・点検等のメンテナンス作業が必要となるところから、その部分に吊金具取付具２７０を取り付けることが困難となり、空気調和機の縦置き、横置きを自在に選択することが困難となる。
【０００７】
本発明の目的は、電装品箱を送風機室の角隅に取り付けた場合であっても、縦置き、横置きを自在に選択することが可能となったダクト型空気調和機を提供することである。
【課題を解決するための手段】
【０００８】
上記目的を達成するために、請求項１にかかる発明は、縦置き、横置き兼用のダクト型空気調和機において、空気調和機本体ケースに、ファンを備えた送風機室と熱交換機を備えた熱交換室とを内蔵し、前記送風機室に設けられた吸込口と前記空気調和機本体ケースの一方の側片との角隅を電装品箱の配置によって構成し、該電装品箱の角部となり且つダクト型空気調和機全体の角部となる位置に吊金具固定部を設けてなり、前記電装品箱は、コ字形状に折り曲げられ、該コ字形状の対面する２個の側片の一方の側片が前記吸込口の面に連続する面となり、該コ字形状の奥片が前記送風機室内部に位置するように配置された電装品箱本体ケースと、前記空気調和機本体ケースの前記一方の側板に連続する面と前記空気調和機本体ケースの底板に連続する面とを覆うようにＬ字形状に折り曲げられた着脱自在の電装品箱カバーとを備え、前記吊金具固定部は、前記電装品箱本体ケースの前記一方の側片に、前記空気調和機本体ケースの前記一方の側板の方向に折り曲げて形成されていることを特徴とする。
請求項２にかかる発明は、請求項１に記載のダクト型空気調和機において、前記電装品箱カバーは、前記吊金具固定部を外部に露出させるよう切欠きが形成されていることを特徴とするダ。
請求項３にかかる発明は、請求項１又は２に記載のダクト型空気調和機において、前記吊金具固定部に、ダクト型空気調和機を床に浮かして縦配置するためのスペーサを床金具取付具によって取り付けたことを特徴とする。
【発明の効果】
【０００９】
本発明によれば、吸込口と空気調和機本体ケースの一方の側片との角隅を電装品箱の配置によって構成し、該電装品箱の角部となり且つダクト型空気調和機全体の角部となる位置に、吊金具固定部を設けたことにより、その空気調和機を縦置きにした場合であっても、吊金具を取り付けることができる。そして、Ｌ字形状の着脱自在の電装品箱カバーを取り付けることで、縦置きあるいは横置きされた空気調和機を取り外すことなく、電装品箱に対する保守・点検等のメンテナンス作業が可能となる。
【図面の簡単な説明】
【００１０】
【図１】本実施例のダクト型空気調和機の横置き姿勢の斜視図である。
【図２】本実施例のダクト型空気調和機の縦置き姿勢の斜視図である。
【図３】本実施例のダクト型空気調和機の横置き姿勢での電装品箱およびその周辺の分解奢侈図である。
【図４】本実施例のダクト型空気調和機の電装品箱の斜視図である。
【図５】本実施例のダクト型空気調和機の電装品箱の基板取付台の着脱の説明図である。
【図６】図４において、基板取付台を取り外した状態の電装品箱の斜視図である。
【図７】本実施例のダクト型空気調和機の縦置き姿勢での電装品箱カバーを取り外した部分斜視図である。
【図８】本実施例のダクト型空気調和機の横置き姿勢での電装品箱カバーを取り外した部分斜視図である。
【図９】本実施例のダクト型空気調和機の縦置き姿勢でのスペーサを使用する例の部分斜視図である。
【図１０】従来例のダクト型空気調和機の横置き姿勢の斜視図である。
【図１１】従来例のダクト型空気調和機の横置き姿勢の斜視図である。
【発明を実施するための形態】
【００１１】
図１に本発明の実施例のダクト型空気調和機１００の横置きの姿勢を、図２に縦置きの姿勢を示す。１１０は空気調和機本体ケースであり、天板１１１、側板１１２，１１３、底板１１４を有する。空気調和機本体ケース１１０の内部は、仕切板（図示せず）により熱交換室１２０と送風機室１３０に区画されており、熱交換室１２０には熱交換器（図示せず）、吹出口１２１等が設けられ、送風機室１３０には、吸込口１３１、ファンを内蔵するファンケーング１３２（図３参照）等が設けられている。吹出口１２１および吸込口１３１には、設置する状態に合わせて、吹出ダクト（図示せず）や吸込ダクト（図示せず）が接続される。そして、一方の側板１１２と吸込口１３１との角隅には、電装品箱１４０が組み込まれている。つまり、その角隅が電装品箱１４０によって構成されている。側板１１２には、この電装品箱１４０が位置するための切欠き１１２ａが形成されている。
【００１２】
この電装品箱１４０は、図３および図４に示すように、コ字形状に折り曲げられた電装品箱本体ケース１４１、その電装品箱本体ケース１４１の天面に傾斜して差し込まれた基板取付台１４２、電装品箱本体ケース１４１に対して着脱自在でＬ字形状の電装品箱カバー１４３で囲まれている。
【００１３】
電装品箱本体ケース１４１は、互いに対面する側片１４１ａ，１４１ｂ、その側片１４１ａ，１４１ｂを奥側で連続させる奥片１４１ｃからなり、側片１４１ｂが吸込口１３１（図１参照）の面に連続する面となり、奥片１４１ｃが送風機室１３０（図２参照）の内に入り込むように、その送風機室１３０に取り付けられている。また、この電装品箱本体ケース１４１の側片１４１ｂの前端部に形成した折曲片１４１ｂ１には、側板１１２の面と連続する面となるように、吊金具１５０を取り付けるための吊金具固定部１４１ｄが、形成されている。
【００１４】
電装品箱カバー１４３は、電装品箱１４０の正面（側板１１２に連続する面）を覆う前片１４３ａと、電装品箱１４０の下面（底板１１４に連続する面）を覆う底片１４３ｂとからなり、前片１４３ａには、電装品箱本体ケース１４１の吊金具固定部１４１ｄを外部に露出させるための切欠き１４３ａ１が形成されている。
【００１５】
そして、この電装品箱カバー１４３の前片１４３ａの左右の端の上下部分を、電装品箱本体ケース１４１の一方の側片１４１ａの前端部の折曲片１４１ａ１と他方の側片１４１ｂの前端部の折曲片１４１ｂ１に対してねじで固定し、底片１４３ｂの先端の左右部分を、空気調和機本体ケース１１０の底板１１４の端部１１４ａ（図７、図８参照）に対してねじで固定することにより、電装品箱１４０の側板１１２に連続する面と底板１１４に連続する面が、外部に対して閉じられる。
【００１６】
なお、天板１１１における一方の側板１１２側への折曲片１１１ａと他方の側板１１３側への折曲片（図示せず）には、吊金具１５０を取り付けるための吊金具固定部１１１ｂが、それぞれ２箇所に形成されている。
【００１７】
本実施例の電装品箱１４０は、吸込口１３１、ファンを内蔵したファンケーシング１３２等とともに送風機室１３０の内部の角隅に組み込まれ、電装品箱カバー１４３により電装品箱本体ケース１４１の図３、図４、図６において前面（側板１１２に連続する面）と下面（底板１１４に連続する面）を閉じることにより、組み立てられる。
【００１８】
空気調和機１００を横置きの姿勢にするときは、図１に示すように、吊金具１５０を、側板１１２，１１３を介して、天板１１１にねじによって取り付ける。そして、天井から吊り下げられた４本のボルト（図示せず）に吊金具１５０で固定することで、吊り下げ設置される。
【００１９】
また、空気調和機１００を縦置きの姿勢にするときは、図２、図３に示すように、側板１１２の側では、その１つの吊金具１５０は側板１１２を介して天板１１１にねじによって取り付けるが、残りの１つの吊金具１５０は電装品箱カバー１４３を回避して電装品箱本体ケース１４１の吊金具固定部１４１ｄにねじで直接取り付ける。そして、この吊金具１５０によって、天井内等に縦姿勢で取り付ける。
【００２０】
電装品箱１４０に差し込まれる基板取付台１４２は、図３、図４に示すように、内面（下面）側に制御基板１４４が装着されており、図５に示すように、電装品箱本体ケース１４１の左右の側片１４１ａ，１４１ｂの内側に斜めに形成された切起片１４１ｅ，１４１ｆに、その基板取付台１４２の両側の縁をガイドさせて、先端が電装品箱本体ケース１４１の奥片１４１ｃに当たるまで差し込むことにより、奥端が前端よりも天版１１１から離れるように傾斜して、図３、図４において、裏面が前面（手前）を向く姿勢となる。これにより、その裏面に取り付けられた制御基板１４３も傾斜して前面（手前）を向く。なお、一方の切起片１４１ｆは、図５の拡大図に示すように、切起部１４１ｆ１、１４１ｆ２と、その間に形成したスリット１４１ｆ３で構成され、切起部１４１ｆ１、１４１ｆ２の間に、基板取付台１４２の側縁がガイドされる。他方の切起片１４１ｅについても、拡大図では示さないが、同様である。
【００２１】
この基板取付台１４２には、図５に示すように、電装品箱本体ケース１４１への差込方向の前端側と後端側に、下方向への折り曲げにより補強フランジ１４２ａ，１４２ｂが形成されている。前端側の補強フランジ１４２ａには、その両端に切欠き１４２ａ１が形成され、電装品箱本体ケース１４１の切起片１４１ｅ，１４１ｆでガイドさせる際にその補強フランジ１４２ａが邪魔にならないようになっている。この基板取付台１４２は、補強フランジ１４２ａを電装品箱本体ケース１４１の奥片１４１ｃにねじ止めし、さらに電装品箱カバー１４３を取り付けることで、タガツキ無しに固着され、引き抜けが防止される。
【００２２】
この基板取付台１４２は、電装品箱本体ケース１４１に組み込まれることにより、電装品箱本体ケース１４１の両方の側片１４１ａ，１４１ｂの図３〜図６における上部分の間隔を保持する梁として機能する。側片１４１ａ，１４１ｂの図３、図４、図６における下部分の間隔を保持する梁は無いが、基板取付台１４２が斜めに装着されることによって、その部分の梁の機能も発揮させることができる。
【００２３】
このように、基板取付台１４２は、制御基板１４４とともに電装品箱１４０に対して簡単に装着することができ、電装品箱カバー１４３を外し、補強フランジ１４２ａの奥片１４１ｃに対するねじ止めを外してから、切起片１４１ｅ，１４１ｆに沿って引き抜くことにより、簡単に取り外すことができる。また、基板取付台１４２は、傾斜した状態で電装品箱１４０の上側を覆うので、その裏面に取り付けられた制御基板１４４は、電装品箱カバー１４３を取り外すだけで、外部から見やすくなる。
【００２４】
図７に、空気調和機１００を縦配置したときの、電装品箱カバー１４３および吊金具１５０を取り外した電装品箱１４０の部分を示す。また、図８に、空気調和機１００を横配置し下から見上げたときの電装品箱カバー１４３を外した電装品箱１４０の部分を示す。このように横配置した場合、縦配置した場合のいずれの場合でも、制御基板１４４は外部から見やすくなり、メンテナンス等での制御基板１４４に対する作業性が向上する。また、傾斜して装着されるので、制御基板１４４を大型化することができる。
【００２５】
電装品箱１４０の内部において、電装品箱本体ケース１４１の一方の側片１４１ｂの内側には、端子台取付台１４５が、図３、図４、図６に示すように、片持支持の形態で下側を向くように傾斜して、螺着により取り付けられている。この端子台取付台１４５は、両側端部を折り曲げることにより補強フランジ１４５ａが形成され、また略中央部分が若干の角度で稜線１４５ｂが外側を向くように折り曲げられており、その先端側の端子台取付面１４５ｃに、端子台１４６が取り付けられている。すなわち、端子台取付台１４５は、端子台取付面１４５ｃが、空気調和機本体ケース１１０の側板１１２に連続する面を向き、且つ空気調和機本体ケース１１０の底板１１４に連続する面を向き、且つ電装品箱本体ケース１４１の側片１４１ａを向くように、取り付けられている。端子台１４６には、電源コードやアース線等が接続される（図示せず）。
【００２６】
よって、端子台１４６は、電装品箱カバー１４２を取り外せば、空気調和機本体ケース１４１の底板１１４に連続する面を向き、且つ側板１１２に連続する面を向き、且つ電装品箱本体ケース１４１の側片１４１ａを向くので、空気調和機１００を縦配置したときは、図７に示したように、斜め上向きに外部に露出し、空気調和機１００の底板１１４の上側および側板１１２の上側から見やすくなる。また、横配置したときは、図８に示したように、斜め下向きに外部に露出するので、空気調和機１００の底板１１４の下側から見やすくなる。したがって、メンテナンス等での端子台１４６に対する作業性が向上する。また、端子台取付台１４５は、電装品箱本体ケース１４１の側片１４１ｂに片持支持されているので、奥片１４１ｃとの間に比較的大きなスペースが形成されることから、その奥片１４１ｃの内側に、比較的大きなトランス１４７（図６、図８等参照）等の電気部品を搭載することが可能となる。
【００２７】
なお、空気調和機１００を縦配置する際に、直接床に固定することができない場合は、図９に示すように、吊金具１５０に代えて、床金具取付具１６０を側板１１２、１１３や電装品箱１４０に取り付け（但し、図９では側板１１２側のみを示す。）、この床金具取付具１６０によってスペーサ１７０を取り付けて、このスペーサ１７０により、床に空気調和機１００を浮かした状態で取り付ければよい。
【符号の説明】
【００２８】
１００：ダクト型空気調和機
１１０：空気調和機本体ケース、１１１：天板、１１１ａ：折曲片、１１１ｂ：吊金具固定部、１１２：側板、１１２ａ：切欠き、１１３：側板、１１４：底板、１１４ａ：端部
１２０：熱交換室、１２１：吹出口
１３０：送風機室、１３１：吸込口、１３２：ファンケーシング
１４０：電装品箱、１４１：電装品箱本体ケース、１４１ａ，１４１ｂ：側片、１４１ａ１，１４１ｂ１：折曲片、１４１ｃ：奥片、１４１ｄ：吊金具固定部、１４１ｅ，１４１ｆ：切起片、１４２：基板取付台、１４２ａ，１４２ｂ：補強フランジ、１４２ａ１：切欠き、１４３：電装品箱カバー、１４３ａ：前片、１４３ａ１：切欠き、１４３ｂ：底片、１４４：制御基板、１４５：端子台取付台、１４５ａ：補強フランジ、１４５ｂ：稜線、１４５ｃ：端子台取付面、１４６：端子台、１４７：トランス
１５０：吊金具
１６０：床金具取付具
１７０：スペーサ
２００：ダクト型空気調和機
２１０：空気調和機本体、２１１：正面板、２１２Ａ，１２１Ｂ：吸込口、２１３：吹出口、２１４：側面板
２２０：ファン
２３０：熱交換器
２４０：仕切板
２５０：露受皿
２６０：電装品箱
２７０：吊金具取付具
２８０：フィルタ
２９０：遮蔽板
３００：ボルト
【図１】
0005397618.tif 000002
【図２】
0005397618.tif 000003
【図３】
0005397618.tif 000004
【図４】
0005397618.tif 000005
【図５】
0005397618.tif 000006
【図６】
0005397618.tif 000007
【図７】
0005397618.tif 000008
【図８】
0005397618.tif 000009
【図９】
0005397618.tif 000010
【図１０】
0005397618.tif 000011
【図１１】
0005397618.tif 000012